(57)【要約】【課題】従来に比して、遠隔場所においても点滴投与時の状況をより正確に常時監視可能な点滴監視システムを提供すること。【解決手段】点滴の投与状況を常時監視する点滴監視システム。点滴液の残量を計測可能な残液量計測器及び該残液量計測器における測定値を信号に変換して送信可能な残液量送信機を備えた点滴器具からなる送信部と、残液量送信機からの信号を受信可能な残液量受信機を備えた受信部とからなる。従来同様、遠隔場所においても点滴の投与状況を常時監視可能となる。【選択図】図１
2004248824.tif 000002
【特許請求の範囲】
【請求項１】
点滴投与時の状況を常時監視する点滴監視システムであって、
点滴液の残量を測定可能な残液量測定器及び該残液量測定器における測定値を信号に変換して送信可能な残液量送信機を備えた点滴器具からなる送信部と、前記残液量送信機からの信号を受信可能な残液量受信機を備えた受信部とからなることを特徴とする点滴監視システム。
【請求項２】
前記残液量測定器が懸垂式はかりであって、前記点滴器具の構成が、支柱の上端部にブラケットを備えた点滴台に、点滴パックが前記懸垂式はかりを介して吊り下げられてなるものであることを特徴とする請求項１記載の点滴監視システム。
【請求項３】
さらに前記点滴パックに接続された点滴注入パイプの途中に点滴液の流量を検出する滴下センサーを備え、該滴下センサーで検出した液流量を信号に変換して送信可能な液流量送信機を備えた送信部とされており、前記受信部には前記液流量送信機からの信号を受信可能な液流量受信機を備えてなることを特徴とする請求項２記載の点滴監視システム。
【請求項４】
前記残液量送信機及び／又は前記液流量送信機からの信号をモニター可能な表示パネルが送信部及び受信部ともに備えられてなることを特徴とする請求項１、２又は３記載の点滴監視システム。
【請求項５】
前記送信部と受信部との信号送信が無線を用いて行われることを特徴とする請求項１、２、３又は４記載の点滴監視システム。
【発明の詳細な説明】
【０００１】
【技術分野】
本発明は、医療施設等において点滴投与時の状況を常時監視する点滴監視システムに関する。ここでは、主としてナースセンター等の遠隔場所から、病室等において行われる点滴投与の状況を監視する場合を例に採り説明するが、本発明は当該構成に限定されるものではない。すなわち、本発明の要旨を逸脱しない限り、点滴器具の設置場所、細部の構成等は各種設計変更が可能である。
【０００２】
【背景技術】
図３に従来の点滴監視システムに使用されていた点滴器具の概略図を示す（特許文献１の要約参照）。
【０００３】
「支柱１の上端部に、点滴パック２を掛止して吊下げる掛止片（ブラケット）３を設け、その点滴パック２の注入パイプ４の途中には点滴液の流量及び液切れを検出する滴下センサー５を設けると共に、前記支柱１の適宜位置には、前記滴下センサー５で検出した液流量及び液切れ信号をナースステーション等に送信して受信機にてモニターする送信機８と、・・・とを取付ける。」
上記の如く従来、点滴の液切れや液流量等をセンサーにより検知し、遠隔場所にデータ送信して１箇所で集中的に点滴投与時の状況をモニター監視する点滴監視システムが公知である。当該点滴監視システムを使用することで、患者や看護者の負担を軽減することが可能となる。
【０００４】
上記点滴監視システムにおいて、点滴投与時の状況を検知する手段としては、注入パイプに滴下センサーを設け、液流量を監視する方法が採用されている。滴下センサーを使用することで、点滴時における点滴液内への気泡の混入、液切れの状態、液流量等を検知可能である。
【０００５】
しかし、点滴投与時の状況を監視する手段として、点滴液の残量も明確に把握できることが望ましい。従来の滴下センサーを用いれば、点滴液の残量は液流量の積算値から算出することは可能であるが、算出値にはわずかな誤差がつきものであるため、より正確な残液量の管理が必要とされる。実際、近年の医療においては、医療ミスをなくすためのより厳格な監視体制が切望されているのが実情である。
【０００６】
上記以外に本願が関連する先行技術文献情報としては、特許文献２・３等がある。
【０００７】
【特許文献１】
特開平１０−２３４８５１号公報
【特許文献２】
特開２０００−２３２９６５公報
【特許文献３】
特開２０００−１８９４７４公報
【０００８】
【発明の開示】
本発明は上記にかんがみて、従来に比して、遠隔場所においても点滴投与時の状況をより正確に常時監視可能な点滴監視システムを提供することを目的とする。
【０００９】
本発明者は、上記目的を解決するために、点滴液の残液量を直接測定可能な、下記構成の点滴監視システムに想到した。
【００１０】
本発明は、点滴の投与状況を常時監視する点滴監視システムであって、点滴液の残量を測定可能な残液量測定器及び該残液量測定器における測定値を信号に変換して送信可能な残液量送信機を備えた点滴器具からなる送信部と、前記残液量送信機からの信号を受信可能な残液量受信機を備えた受信部とからなることを特徴とする。
【００１１】
点滴液の残量を測定することで点滴投与時の状況を常に監視することができ、当該測定値を信号に変換して遠隔場所に設置した受信部に送信することで、従来同様、遠隔場所においても点滴の投与状況を常時監視可能となる。
【００１２】
上記構成において、残液量測定器が懸垂式はかりであって、点滴器具の構成が、支柱の上端部にブラケットを備えた点滴台に、点滴パックが懸垂式はかりを介して吊り下げられてなるものであることが望ましい。すなわち、汎用の懸垂式はかりを使用して残液量を測定することができる。
【００１３】
上記構成において、さらに前記点滴パックに接続された点滴注入パイプの途中に点滴液の流量を検出する滴下センサーを備え、該滴下センサーで検出した液流量を信号に変換して送信可能な液流量送信機を備えた送信部とされており、前記受信部には前記液流量送信機からの信号を受信可能な液流量受信機を備えてなることが望ましい。点滴液の残量に加え液流量も測定することで、より厳格な監視体制とすることができる。
【００１４】
さらに、前記残液量送信機及び／又は前記液流量送信機からの信号をモニター可能な表示パネルが送信部及び受信部ともに備えられてなることが望ましい。受信部においての監視が容易になるばかりでなく、受信部においても正確な残液量や流量が確認可能となる。
【００１５】
上記構成において、送信部から受信部への信号送信が無線を用いて行われることが望ましい。本点滴監視システムの設置場所の自由度が増大し、より実用的なシステムとすることができる。
【００１６】
【発明を実施するための最良の形態】
以下、本発明の実施形態を図面に基づいて説明する。既述例と同一部分（同一部材）については同一図符号を付して、それらの説明の全部又は一部を省略する。
【００１７】
図１は、本発明の点滴監視システムに適用可能な点滴器具の一例を示す概略図である（送信部）。また、図２は、本発明の点滴監視システムに適用可能な受信部Ｒの一例を示す概略図である。
【００１８】
本発明の点滴監視システムは、点滴液の残量を測定可能な残液量測定器１８及び該残液量測定器１８における測定値を信号に変換して送信可能な残液量送信回路を備えた送信機８を備えた点滴器具からなる送信部（図１）と、残液量送信回路を備えた送信機８からの信号を受信してディスプレー表示可能な信号に変換する残液量受信回路を備えた受信機（ナースステーションコントロールパネル）９を備えた受信部（図２）とから構成される。
【００１９】
図１における送信部は以下の構成である。移動用キャスター１７を備えた台座１０から延設される支柱１の上端部に、ブラケット３を有する点滴台Ａがある。ブラケット３は、支柱１の上端部に相対向する左右側方へ１本ずつ突設させているが、ブラケット３の形状、本数等は図示の構成に限定されず、その他の本数や形状であってもよい。また、支柱１も上下に伸縮可能な構成としてもよいし、移動用キャスターの個数についても図示のものに限定されない。
【００２０】
そして、上記ブラケット３に吊り下げられた点滴パック２の下部側に接続された点滴注入パイプ４の途中に点滴液の流量を検出する滴下センサー（光センサー）５を設けるとともに、支柱１に滴下センサー５で検出した液流量及び液切れ信号をナースステーション等の遠隔場所に設置した後述の受信部に送信する液流量／液切れ送信回路を備えた送信機８とを備えてなるものである。ここまでは従来例と同一の構成である。
【００２１】
そして本発明においては、さらに、送信部が、該残液量測定器１８を備えるとともに、送信機８が、さらに、前記液流量／液切れ送信回路に加えて、該残液量測定器１８における測定値を信号に変換して送信可能な残液量送信回路を備えている。
【００２２】
図１に示す如く、点滴パック２は、ブラケット３に残液量測定器１８を介して吊り下げられてなる。また、残液量測定器１８と送信機８とは配線２６で接続されており、残液量の測定データを送信機８に伝送可能とされている。図１においては、さらに、残液量測定器１８は、滴下センサー５と配線２８で接続されており、滴下センサー５の信号が、残液量測定器１８内の制御部をとおり、配線２６により送信機８に入力可能とされている。すなわち、点滴の液切れが発生したとき、及び、点滴液の残量が０となったときの双方において、滴下センサー５及び／又は液残量測定器１８の信号を受けて、送信機５からアラーム信号が発信されるようになっている。なお、図符号２０は、電源プラグである。
【００２３】
残液量測定器１８としては、汎用の懸垂式はかりを使用することができるため、装置の詳しい説明は省略する。具体的な使用方法としては、２５０ｇの点滴パック２を、懸垂式はかりを介して吊り下げた際、リセットカウントを２５０（ｇ）に設定し、数値が０（ｇ）になったとき残液量が０となるよう調整する。残液量が０（ｇ）の時点で受信部へ向けて送信機８から信号を送信するようにしておけば、点滴の投与終了時間が正確に確認できる。点滴パック２の重さ等は常に一定とは限らないため、懸垂式はかりで上記の如く重さの任意設定を可能にしておくことが望ましい。
【００２４】
滴下センサー５は、従来使用されていたものを使用することができるため、装置の詳しい説明は省略する。例えば赤外線等を用いた光検知式の光センサー等を使用可能である。
【００２５】
送信機８には、懸垂式はかり１８及び滴下センサー５で検知した残液量、液流量、液切れ信号を、受信部に向けて無線を用いて送信するための送信アンテナ１４が取付けられている。さらに、送信用の信号を視覚可能な文字データに変換してモニター表示するための送信側表示パネル２２が備えられている。表示パネル（電光パネル）２２を送信部に設けることで、点滴液の流量や残液量等が数値的に確認できる。また、電光表示にすれば、暗所での点滴の調整も送信側表示パネル２２を確認しながら容易に行うことができる。
【００２６】
図２に示す受信機９は、上記送信機８からの各信号を受信しかつディスプレー信号に変換可能な残液量受信回路及び液流量受信回路を備えている。そして、受信機は、受信した信号を視覚可能な文字データに変換してモニター表示するための受信側表示パネル２４を備えている。さらに、送信部から送信される信号を無線により受信するための受信アンテナ１６が備えられている。受信側表示パネル２４の表示を確認することで、点滴投与時の状況の把握が遠隔場所からも容易になる。
【００２７】
上記受信部は、通常、複数個の送信部から送られる信号を一つの受信部で受信する構成とすることができる。受信部をナースステーション等の一箇所に設置し、複数の送信部をそれぞれ各病室に設置すれば、各送信部から送られてくる点滴投与状況の信号を集中的に一箇所で管理することができる。
【００２８】
また、複数個の送信部から送られる信号を複数個の受信部で受信する構成とすることもできる。例えば受信部Ｒを携帯可能な大きさまで小さくすれば、複数の看護者等がそれぞれ１個ずつ常に受信部を携帯することができる。よって、他の作業等を行いながら点滴投与状況を監視することができ、信号を受信可能な場所にいる限り、即時に点滴の投与状況が確認できる。
【００２９】
また、送信部と受信部とは、点滴を行う間は常時接続状態にしてもよいし、一定時間おきに接続してもよい。また、必要なときのみ接続可能な状態にしておいてもよい。受信部からも送信部からもともに接続可能な状態にしておけば、送信部から点滴の投与状況等を知らせることができるだけでなく、受信部からも点滴の投与状況を確認できる。
【００３０】
また、点滴状況に不具合や、異常事態が発生した場合にも同じく送信部から受信部に向けて信号を送信する構成としてもよいし、アラーム音などで警告を発する構成とすることもできる。具体的には液流量が正常範囲から大きく外れたときや、残液量の値が急激に変化したときなどである。
【００３１】
送信部と受信部との信号送信は、図の如く無線を用いて行われることが望ましい。無線を用いることで送信部、受信部とも設置場所の自由度が増大するためである。なお、無線を使用する際は、他の医療器具に影響を与えないように微弱電波を使用することが望ましい。
【００３２】
次に上記送信部を病室に、受信部をナースステーションに設置した場合のシステム作動方法の一例を記す。
【００３３】
まず、送信部の点滴台Ａに、図１の如く点滴液を充填した点滴パック２を、懸垂式はかり１８を介してブラケット３に吊り下げる。点滴パック２の下部側には、滴下センサー５を途中に付設した点滴注入パイプ４を接続する。滴下センサー５と、懸垂式はかり１８、懸垂式はかり１８と送信機８をそれぞれ配線２６、２８で接続する。電源を入れ、懸垂式はかり１８、滴下センサー５、送信機８をそれぞれ稼動（オン）状態とする。一方、図２における受信部の受信機、表示パネル等も稼動（オン）状態としておく。
【００３４】
そして、点滴投与を開始する際に、点滴パック２の重さに応じて、懸垂式はかり１８の設定（カウント調整等）、点滴センサー５の流量設定等を行い、通常の方法で点滴投与を開始する。
【００３５】
点滴投与中は、点滴センサー５、懸垂式はかり１８が常に点滴の投与状況を検知する。万一、検知したデータに異常が発生した場合は、送信機８を通して受信部に向けて異常を知らせる信号を送信する。特に異常がない場合は、一定時間ごとに、点滴液の残量及び流量のデータを受信部に向けて送信する。
【００３６】
懸垂式はかり１８が点滴液の残量が一定以下になったことを検知すると、送信機８を通して点滴投与終了の信号を受信部に向けて送信する。こうして、点滴開始から点滴終了までの監視が可能となる。
【００３７】
上記の如く残液量測定器１８を備えることで、点滴液の残量を正確に測定することができ、その結果、点滴の投与状況を常に監視することが可能となる。そして、当該測定値を信号に変換して遠隔場所に設置した受信部に送信することで、従来同様遠隔場所においても点滴の投与状況を常時監視可能となる。点滴液の残量に加え流量も測定することで、より厳格な監視体制とすることができる。
【００３８】
よって、病室等に送信部を、ナースステーション等に受信部を設置するだけで、点滴状況の管理が可能となる。ナースステーション等に受信部を設置する場合には、複数の病室にそれぞれ送信部を設置して、複数の点滴投与状況を一括管理することができる。そして、送信部から受信部への信号送信が無線を用いて行われることで、本点滴監視システムの設置場所の自由度が増大し、より実用的なシステムとすることができる。
【図面の簡単な説明】
【図１】本発明の点滴監視システムに適用可能な点滴器具の一例を示す概略図である（送信部）。
【図２】本発明の点滴監視システムに適用可能な受信部の一例を示す概略図である。
【図３】従来の点滴監視システムに使用された点滴器具の一例を示す概略図である。
【符号の説明】
１…支柱
２…点滴パック
３…ブラケット（掛止片）
４…点滴注入パイプ（注入パイプ）
５…滴下センサー
８…送信機
９…受信機
１４…送信アンテナ
１６…受信アンテナ
１８…残液量測定器（懸垂式はかり）
２２…送信側表示パネル
２４…受信側表示パネル
Ａ：点滴台
【図１】
2004248824.tif 000003
【図２】
2004248824.tif 000004
【図３】
2004248824.tif 000005